(57)【特許請求の範囲】
【請求項１】
扉に取り付けられる錠箱内においてフロント板に垂直な前後方向に移動可能に案内されると共に前方に向け付勢され、フロント板に関し出没可能なデッドボルトと、このデッドボルトにおいて前後方向に沿って形成された鋸歯状のラチェット歯列と、全体の形状がく字状をなすレバー体で、中央部が錠箱内のフロント板近傍に揺動可能に支承され、一端がフロント板に近接する方向又はフロント板から遠ざかる方向に付勢される共に、他端に前記のラチェット歯列に係脱される爪片を形成したトリガー体と、トリガー体の一端に装着した第１永久磁石と、閉扉時前記第１永久磁石が整合する扉枠の部位に装着され、第１永久磁石と同磁極又は異磁極で対向させるようにした第２永久磁石と、錠箱内において一端を揺動可能に支承させると共に扉の外部操作部材に連結させ、他端側をデッドボルトに前方から係合可能に臨ませたリトラクタとを備え、上記トリガー体の爪片がラチェット歯列との係合から外れる最後の点とトリガー体の回転中心点とを結ぶ線は、ほぼ水平をなすようにすると共に、ラチェット歯列の各歯の鉛直な係合線と直角をなすようにしたことを特徴とする錠止装置。
【発明の詳細な説明】
【０００１】
【発明の属する技術分野】
この発明は扉の錠止装置に関する。更に詳しくは、閉扉時扉を扉枠に対し確実に錠止できるようにした新規な錠止装置に関する。
【０００２】
【従来の技術】
自動施錠の錠装置においては、閉扉時、扉の建て付け具合やドアクローザの作動不良によってデッドボルトとストライクとの間に不整合が生じると、先端に誘導斜面を有するデッドボルトがストライクの前面板上に乗り上げたままになることがある。この場合、勿論施錠は不能となるので、施錠の確認をしないと、非施錠のままで外出してしまうような事態が生じる。
【０００３】
本願人等は、前記の問題点を解決するため、扉の建て付けやドアクローザの作動に多少の不具合があっても確実に自動施錠が達成される錠止装置を開発し、特願平３−１９４７３１号（特開平５−２２２８７２号）並びに特願平４−３４１４９５号（特開平６−１６７１５２号）として特許出願をしている。
【０００４】
前者の錠止装置は２つの永久磁石の同磁極による反発力を利用して達成するものであり、また、後者の錠止装置は２つの永久磁石の異磁極による吸着力を利用したものである。
【０００５】
【発明が解決しようとする課題】
この発明の錠止装置は、前述の従来の錠止装置とは別の機構により、閉扉時に確実な自動施錠が達成できるようにすること、並びに、従来の錠止装置から複雑な形状をなす部品である制御歯車及びそれに一体に形成された係止レバーを排して、全体としての機構を簡単にすることを目的として提案されたものである。
【０００６】
【課題を解決するための手段】
上記の目的を達成するため、この発明の錠止装置は、扉に取り付けられる錠箱内においてフロント板に垂直な前後方向に移動可能に案内されると共に前方に向け付勢され、フロント板に関し出没可能なデッドボルトと、このデッドボルトにおいて前後方向に沿って形成された鋸歯状のラチェット歯列と、全体の形状がく字状をなすレバー体で、中央部が錠箱内のフロント板近傍に揺動可能に支承され、一端がフロント板に近接する方向又はフロント板から遠ざかる方向に付勢される共に、他端に前記のラチェット歯列に係脱される爪片を形成したトリガー体と、トリガー体の一端に装着した第１永久磁石と、閉扉時前記第１永久磁石が整合する扉枠の部位に装着され、第１永久磁石と同磁極又は異磁極で対向させるようにした第２永久磁石と、錠箱内において一端を揺動可能に支承させると共に扉の外部操作部材に連結させ、他端側をデッドボルトに前方から係合可能に臨ませたリトラクタとを備え、上記トリガー体の爪片がラチェット歯列との係合から外れる最後の点とトリガー体の回転中心点とを結ぶ線は、ほぼ水平をなすようにすると共に、ラチェット歯列の各歯の鉛直な係合線と直角をなすようにしたことを特徴とする。
【０００７】
【発明の実施の形態】
以下、図面に示す２つの実施例に基いてこの発明について説明する。
図１〜図５は第１実施例を示し、図６は第２実施例を示している。
【０００８】
図１〜図５の第１実施例において、符号１はデッドボルトの全体を示しており、そのデッドボルト１は錠箱２内においてフロント板３に垂直な前後方向に移動可能に案内されており、没入位置（収納位置）と突出位置との間で変位できるようにしてある。
【０００９】
前記のデッドボルト１は、図３及び図４に明示するように、例えば、先端部に案内ローラ８を有する横断面が矩形のデッドブロック５、それに鋲又はねじ等で固定されたデッドボード４及び前端がデッドブロック５の後端面に開口した嵌め孔に嵌合され、後端がデッドボード４の後端の折曲げ部にかしめ付けられたガイド棒６から構成されている。
【００１０】
図示例においては、前記のデッドボルト１は、フロント板３に開口した矩形の貫通孔と、錠箱２の側板に固設され、前記ガイド棒６を摺動可能に嵌合させたコ字状の案内片９とによって移動可能に案内されるようにしてある。
【００１１】
符号７は、デッドブロック５と案内片９との間でガイド棒６に嵌装させた例えば圧縮コイルばね等のデッドばねで、このデッドばね７により、デッドボルト１は前方に向け、すなわち該デッドボルト１の先端がフロント板３から突出する方向に向け付勢させてある。
【００１２】
前記デッドボルト１におけるデッドボード４の下辺部は部分的に下方に延出させてあり、その延出部に開口させた後述のトリガー体１４のための逃がし窓４ａの下端縁には、デッドボルト１（デッドボード４）の前後方向に沿って少くも１つの歯から成るラチェット歯列１０が直線的かつ上向きに形成されている。
【００１３】
一方、錠箱２内におけるフロント板３の近傍で下方の隅角部には、例えば全体の側面形がく字状をなすレバーであるトリガー体１４が設けてある。
【００１４】
トリガー体１４の中央部は錠箱２の側板に対し水平軸をもって揺動可能に支承してあり、フロント板３側に位置するその外端である一端には第１永久磁石１５が装着してある。
【００１５】
そして、トリガー体１４は、ねじりばね等のトリガーばね１６により、第１永久磁石１５を備えた一端がフロント板３に近接する方向に、すなわち図１で右回りに付勢させてある。
【００１６】
また、トリガー体１４の内端である他端には、例えば折り曲げ加工により一体に形成した爪片１１が設けてあり、この爪片１１は上記の逃がし窓４ａ内に嵌め込まれており、デッドボルト１のラチェット歯列１０に選択的に係合される。
【００１７】
図１の開扉状態においては、没入位置（収納位置）を占めているデッドボルト１はデッドばね７により突出方向に付勢されているが、デッドボルト１のラチェット歯列１０に対しトリガーばね１６により右回りに付勢されているトリガー体１４がその他端の爪片１１において上から係合されているので、デッドボルト１はその没入位置に安定した状態で係止（停止）保持される。
【００１８】
なお、トリガー体１４は、図示例においては、開扉時（図１参照）は一端を第１永久磁石１５を介してフロント板３の内面に当接させるようにして停止させてあり、また、閉扉時（図２参照）は他端をデッドボード４における長方形状の逃がし窓４ａの上辺の端縁に摺接させるようにして停止させてあるが、このトリガー体１４の揺動の範囲を規制するストッパ手段としては、他の手段、例えば錠箱２に植設したストッパピン等を用いてよいことは言うまでもない。
【００１９】
他方、図２に示すように、扉枠側に装着されるストライク１７における閉扉時上記第１永久磁石１５と整合する部位には、第１永久磁石１５と同磁極で対向するようにした第２永久磁石１８が装着してある。
【００２０】
そのため、扉が閉鎖されると、第１永久磁石１５及び第２永久磁石１８が同磁極で近接して向い合うので、両磁石１５、１８間に磁気反発力が生じてトリガー体１４は図１で左回りに揺動する。
【００２１】
そして、トリガー体１４の爪片１１とラチェット歯列１０との係合が解かれるので、デッドボルト１のデッドばね７の付勢力により自動的に突出し、その先端がストライク１７の係入孔２０に係入される（図２参照）。
【００２２】
第１及び第２永久磁石１５、１８が接触し又は近接するフロント板３は磁力線が遮断されないように非磁性材料で作るものとし、また、第１及び第２永久磁石１５、１８の近傍の他の部材は磁力線の分散を避けるため非磁性材料で製作するを可とする。
【００２３】
更にまた、錠箱２内には、デッドボルト１の後端部と重合するようにして、全体の形状が細長い板状のリトラクタ１９が装着してある。このリトラクタ１９の一端（図１で下端）は錠箱２の側板に回動可能に支承させてある。
【００２４】
前記リトラクタ１９の一端の中心部には異形孔が開口させてあり、該リトラクタ１９はその異形孔に挿通する操作軸を介して扉の内外面におけるノブ等の外部操作部材（図示しない）に連結させてある。
【００２５】
リトラクタ１９の他端部（上方の自由端部）は、上記デッドボルト１と錠箱２の側板との間をくぐり抜けるようにしてデッドボルト１の上方に突出させてあり、また、デッドボルト１の後端の折曲げ部に前方から係合可能に臨ませてある（図２参照）。
【００２６】
前記のリトラクタ１９は戻しばね２１により図１で左回りに付勢させてあるが、リトラクタ１９に外部操作部材から外力を加えていない限りは、該リトラクタ１９はその一端部に突設させた係止片２２が錠箱２内に突設させたストッパ２３に当接して図１又は図２に示す角度位置に保たれる。
【００２７】
このリトラクタ１９の機能は、外部操作部材の例えば右回りの操作により、ストライク１７の係入孔２０に対し係入させた突出位置（図２参照）のデッドボルト１を没入位置（図１参照）に引き戻すことである。
【００２８】
すなわち、図２に示すように、閉扉されてデッドボルト１が自動的にストライク１７の係入孔２０に係入されている時、デッドボルト１の後端の折曲げ部はリトラクタ１９の他端部に後方から近接している。
【００２９】
そのような状態において、ノブ等の外部操作部材を回してリトラクタ１９を図２で右回りに揺動させると、リトラクタ１９の他端部が、デッドボルト１の後端の折曲げ部を押動してデッドボルト１を没入位置に押し戻すことになる。
【００３０】
一方、錠箱２内におけるデッドボルト１の上辺の近傍には、ほぼ前後方向に延在し、中央部を揺動可能に支承した細長い板状のロッキングバー２４が設けてある。
【００３１】
このロッキングバー２４は突出位置にあるデッドボルト１を固定状態に拘束して施錠するためのもので、該ロッキングバー２４及びそれを拘束するための施錠機構２５は従来公知であるから、ここではその説明は簡単にする。
【００３２】
ロッキングバー２４の前端部は例えば２枚の図形の板材をスポット溶接等で結合して剛性を増大させてあり、また、後端部は例えば横断面コ字状に折曲げられ、その折曲げ部に係止溝２６が形成してある。
【００３３】
そして、錠箱２内のロッキングバー２４の後方部分には、側面形が逆く字状をなす施錠レバー２７が設けてあり、該施錠レバー２７はその中央部において錠箱２の側板に揺動可能に支承されている。
【００３４】
前記施錠レバー２７の上端はいわゆるダルマアッセンブリー２８を介してシリンダ錠に、また、施錠レバー２７の上端からやや下方の部分は電気錠の電磁アクチュエータとしてのソレノイド２９の出力軸にそれぞれ連係させてある。
【００３５】
更に、施錠レバー２７の下方の自由端は、ロッキングバー２４の後端に植設したロッキングピン３１に下方から係合させてある。
【００３６】
そこで、扉が閉鎖されてデッドボルト１がストライク１７に係入するべく自動的に突出した後、電気錠の電磁アクチュエータ２９が施錠信号に応動して、該電磁アクチュエータ２９（ソレノイド）の出力軸が図２に示す位置から右方に向け突出すると、施錠レバー２７が右回りに揺動し、その下方の自由端がロッキングピン３１を押し上げる。
【００３７】
その結果、ロッキングバー２４は左回りに揺動し、図２において鎖線で示すようにその前端がデッドボルト１の前部に形成した段部３２に係合可能に対向することになる。この状態ではデッドボルト１は引っ込めることはできず、従ってこの錠止装置は施錠されたことになる。
【００３８】
なお、この施錠状態においては、図２に明らかなように、リトラクタ１９の他端に植設されたリトラクタピン３３が前記のロッキングバー２４の係止溝２６に係入するので、リトラクタ１９は揺動させることはできない。
【００３９】
このようなリトラクタ１９の揺動不能な状態は、シリンダ錠に差し込んだ鍵によってダルマアッセンブリー２８を介し施錠レバー２７を右回りに揺動させた時も同様に生じる。
【００４０】
また、図示の実施例におけるロッキングバー２４はねじりコイルばねによって常時右回りに付勢させてあり、施錠レバー２７が解錠方向、すなわち左回りに揺動した時、そのばねの付勢力によって施錠レバー２７の動きに追従するようにしてあるが、施錠レバー２７の下方の自由端部に長孔又は長溝を形成し、これをロッキングピン３１と係合させれば、前記のねじりコイルばねは必要がないことは言うまでもない。
【００４１】
次に、この発明の第１実施例の錠止装置の作用について説明する。図１の開扉状態においては、錠箱２内で没入位置を占めているデッドボルト１はデッドばね７により突出方向に付勢されているが、デッドボルト１のラチェット歯列１０に対しトリガー体１４の他端の爪片１１がトリガーばね１６の付勢力によって近接するように押されており、該爪片１１がラチェット歯列１０に係合しているので、デッドボルト１はその没入位置に安定した状態で係止（停止）されている。
【００４２】
錠箱２内で没入位置（収納位置）にあるデッドボルト１は、扉を閉鎖させる時、扉枠上のストライク１７には全く接触することがないので、扉の建て付けやドアクローザの作動に多少の不具合があっても、扉は完全に閉鎖させることができる。
【００４３】
扉が完全に閉じられると、図２に示すように、トリガー体１４の第１永久磁石１５と扉枠側の第２永久磁石１８とが相互に同磁極で向い合うことになるので、第１及び第２永久磁石１５、１８に磁気反発力が作用し、扉枠側に固定の第２永久磁石１８に対し、可動のトリガー体１４の一端に装着された第１永久磁石１５を離間させようとする。
【００４４】
そこで、トリガー体１４はトリガーばね１６の付勢力に抗して左回りに揺動し、その他端の爪片１１とラチェット歯列１０との係合が解かれるので、デッドボルト１はデッドばね７の付勢力により自動的に突出し、その先端をストライク１７の係入孔２０に係入させる。
【００４５】
また、扉を開放させるには、先ず、外部操作部材を操作してリトラクタ１９を例えば右回りに揺動させ、その他端部でデッドボルト１をデッドばね７の付勢力に抗して後方に押動する。ここに、デッドボルト１は没入位置に引き込まれ、その先端部がストライク１７の係入孔２０から抜去されるので、扉の開放が可能となる。
【００４６】
そこで、外部操作部材を握ったままで扉を開放させると、扉枠側の第２永久磁石１８に対しトリガー体１４の第１永久磁石１５が離間することになるので、閉扉時両磁石１５、１８間に作用していた同磁極による磁気反発力が消失し、トリガー体１４はトリガーばね１６の付勢力により図２で右回りに傾動する。
【００４７】
そして、トリガー体１４の他端の爪片１１が錠箱２内に引き込まれているデッドボルト１のラチェット歯列１０に係合し、デッドばね７の付勢力により突出しようとするデッドボルト１を係止（停止）させる（図１参照）。この状態ではノブ等の外部操作部材から手を離してもデッドボルト１はもはや突出することはない。
【００４８】
なお、扉の開放時にデッドボルト１に引き残しがあった場合は、外部操作部材でリトラクタ１９を再度図１で右回りに作動させれば、トリガー体１４の爪片１１との係合状態において後方への移動が許容されたラチェット歯列１０を更に後方に移動させることができるので、デッドボルト１を正規の没入位置（図１の位置）に引き込ませることができる。
【００４９】
次に、図６においてこの発明の第２実施例について説明する。図６の第２実施例において、図１〜図５の第１実施例と同一の符号で指し示している部材又は部位は互いに等効の作用を呈する部材又は部位を表しているので、第２実施例については、主として第１実施例と相違している部分について説明する。
【００５０】
この例におけるラチェット歯列１０は、デッドボード４における下方への延出部分の下端縁に直線的かつ下向きに形成されており、そのラチェット歯列１０に対してはトリガー体１４の他端の爪片１１は下方から係合される。従って、このデッドボード４には第１実施例において設けられた逃がし窓（４ａ）は必要としない。
【００５１】
そして、前記のトリガー体１４は、ねじりばね等のトリガーばね１６により、第１永久磁石１５を備えた一端がフロント板３から遠ざかる方向に、すなわち図６で左回りに付勢させてある。
【００５２】
また、前記のトリガー体１４は、開扉時（図６参照）は一端を前方から錠箱２の側板に植設したストッパピン１４ａに当接されるようにして停止させ、また、閉扉時（図示省略）は一端を第１永久磁石１５を介してフロント板３の内面に当接させるようにして停止させてある。但し、このトリガー体１４の揺動の範囲を規制するストッパ手段は、図示例のものに限らない。
【００５３】
更に、第２実施例においては、扉枠側に装着されるストライク１７における閉扉時上記第１永久磁石１５と整合する部位には、第１永久磁石１５と異磁極で対向するようにした第２永久磁石１８が装着してある。
【００５４】
そのため、扉が閉鎖されると、第１永久磁石１５及び第２永久磁石１８が同磁極で近接して向い合うので、第１永久磁石１５が第２永久磁石１８から磁気吸着力を受けてトリガー体１４を図６で右回りに揺動させる。
【００５５】
この際、トリガー体１４の爪片１１とラチェット歯列１０との係合が解かれるので、デッドボルト１がデッドばね７の付勢力により自動的に突出し、その先端がストライク１７の係入孔２０に係入される。
【００５６】
この第２実施例の錠止装置の全体としての作用は、上述の第１実施例の錠止装置のそれに準ずるので、ここではその記載を省略する。
【００５７】
なお、両実施例において、トリガー体１４の爪片１１がラチェット歯列１０との係合から外れる最後の点とトリガー体１４の回転中心点とを結ぶ線は、ほぼ水平をなすようにすると共に、ラチェット歯列１０の各歯の鉛直な係合線と直角をなすようにするを可とする。
【００５８】
前記のようなトリガー体１４の爪片１１とラチェット歯列１０の各歯との係合構成は、トリガー体１４の回動時、前記爪片１１の最後の係合点が単調にラチェット歯列から離間する方向に移動するので、ラチェット歯列１０と一体のデッドボルト１の係止（停止）作用を安定化すると共に、係合の解除の際の切れをよくしてデッドボルト１の突出作用をスムーズにするに有効である。
【００５９】
【発明の効果】
以上に説明したこの発明の錠止装置によれば、閉扉時に確実な自動施錠が達成できるのみならず、部品数を減じて全体としての機構を簡単にするという効果を奏する。
【図面の簡単な説明】
【図１】この発明に係る錠止装置の第１実施例を開扉状態で示す部分縦断側面図。
【図２】第１実施例の錠止装置を閉扉状態で示す部分縦断側面図。
【図３】第１実施例の錠止装置から取り外したデッドボルトの平面図。
【図４】その側面図
【図５】第１実施例の錠止装置の一部をなす扉枠側のストライクの正面図。
【図６】この発明に係る錠止装置の第２実施例を開扉状態で示す部分縦断側面図。
【符号の説明】
１  デッドボルト
２  錠箱
３  フロント板
７  デッドばね
１０  ラチェット歯列
１１  爪片
１４  トリガー体
１５  第１永久磁石
１７  ストライク
１８  第２永久磁石
１９  リトラクタ
【図１】
0004108163.tif 000002
【図２】
0004108163.tif 000003
【図３】
0004108163.tif 000004
【図４】
0004108163.tif 000005
【図５】
0004108163.tif 000006
【図６】
0004108163.tif 000007